(57)【要約】【課題】伸縮性の側縁部（サイドフラップ）を有するおむつや吸収パッドを覆う展開型おむつ及びおむつカバーにおいて、該側縁部に取り付けられたファスニングテープをまっすぐに引いて接合相手部分に止着するだけで脚まわりと胴まわりとにかかる締め付け力を適度に配分でき、装着者の体形に合わせた理想的なフィット性を実現することができる展開型おむつを提供する。【解決手段】展開型のおむつ１０の腹側及び背側の側縁部（Ｓｆ，Ｓｒ）の少なくとも一方には伸縮性が付与され、該一方の伸縮性側縁部の外方縁側にファスニングテープ１が該テープ内の所定の領域で固定され取り付けられており、前記所定固定領域の物品股下中間部Ｃ側の内方固定部Ｔｂより物品腹側前方縁Ｅｆ側もしくは背側後方縁Ｅｒ側の外方固定部Ｔａが前記吸収体５側に寄せられた展開型おむつ１０。【選択図】図１
2010136788.tif 000002
【特許請求の範囲】
【請求項１】
腹側前部、背側後部、及び該両部の間に介在された股下中間部を有し、前記腹側前部から背側後部にまで長手方向に延びる吸収体を備えた展開型のおむつであって、該おむつの前記腹側前部及び背側後部には前記吸収体の幅方向両側外方に延在する側縁部があり、その腹側及び背側の少なくとも一方の側縁部には伸縮性が付与され、該一方の伸縮性側縁部の外方縁側にファスニングテープが該テープ内の所定の領域で固定され取り付けられており、前記所定固定領域の物品股下中間部側の内方固定部より物品腹側前方縁側もしくは背側後方縁側の外方固定部が前記吸収体側に寄せられた展開型おむつ。
【請求項２】
前記ファスニングテープは、メカニカルファスナーと基材シート及び／又は補強シートとを有してなる非伸縮性の複合部材であり、前記基材シート、前記メカニカルファスナー、及び補強シートのいずれか、又はこれらを組み合わせて前記伸縮性側縁部に固着された請求項１に記載の展開型おむつ。
【請求項３】
前記ファスニングテープの外方固定部から内方固定部にまでつながる前記固定領域の前記吸収体側の端縁をなす固定基線と展開型おむつの正中面切断線までの距離に段差又は傾斜をつけた請求項１又は２に記載の展開型おむつ。
【請求項４】
前記ファスニングテープへのある外側縁に向かう前記伸縮性側縁部の伸縮性の起点となる伸縮基線が展開型おむつの正中面切断線と平行である請求項３に記載の展開型おむつ。
【請求項５】
前記伸縮性側縁部が伸縮性のシート材である請求項１〜４のいずれか１項に記載の展開型おむつ。
【請求項６】
前記伸縮性側縁部が非伸縮性のシート材に取り付けられた弾性帯によりその伸縮性を有してなる請求項１〜５のいずれか１項に記載の展開型おむつ。
【請求項７】
腹側前部、背側後部、及び該両部の間に介在された股下中間部を有する、吸収パッドと組み合わせて装着したときに該吸収パッドの吸収体が前記カバーの腹側前部から背側後部にまで股下中間部を介して延びて配置される展開型のおむつカバーであって、該おむつカバーの前記腹側前部及び背側後部には前記吸収体の幅方向両側外方に延在する側縁部があり、その腹側及び背側の少なくとも一方の側縁部には伸縮性が付与され、該一方の伸縮性側縁部の外方縁側にファスニングテープが該テープ内の所定の領域で固定され取り付けられており、前記所定固定領域の物品股下中間部側の内方固定部より物品腹側前方縁側もしくは背側後方縁側の外方固定部が前記吸収体側に寄せられた展開型おむつカバー。
【請求項８】
腹側前部、背側前部、及び該両部の間に介在する股下中間部を有し、前記腹側前部から背側後部にまで長手方向に延びる吸収体を備えた展開型おむつ、又は、腹側前部、背側後部、及び該両部の間に介在された股下中間部を有する、吸収パッドと組み合わせて装着したときに該吸収パッドの吸収体が前記カバーの腹側前部から背側後部にまで股下中間部を介して延びて配置される展開型のおむつカバーにおいて、前記おむつ又はおむつカバーの腹側前部及び背側後部には前記吸収体の幅方向両側外方に延在する側縁部があり、その腹側及び背側の少なくとも一方の側縁部には伸縮性が付与され、該一方の伸縮性側縁部の外方縁側に所定の固定領域で取り付けられたファスニングテープであって、前記固定領域における物品腹側前方縁側もしくは背側後方縁側の外方固定部が物品股下中間部側の内方固定部より前記吸収体側に寄るように前記固定領域の前記吸収体側の固定基線に傾斜又は段差が付けられたファスニングテープ。
【請求項９】
前記ファスニングテープの固定領域の吸収体側端部の傾斜又は段差に合わせて、その吸収体側縁部が輪郭形成されている請求項８に記載のファスニングテープ。
【発明の詳細な説明】
【技術分野】
【０００１】
本発明は、展開型おむつ、展開型おむつカバー、及びこれに用いるファスニングテープに関する。
【背景技術】
【０００２】
展開型の使い捨ておむつは、通常、背側に沿わされる後部、腹側に沿わされる前部、該後部と前部との間で股下に位置する中間部を有する。この中間部を乳幼児等の股下に沿わせて着用するとき、背側のサイドフラップを着用者の腹側にとどかせ固定部材によりおむつ前部の外表面に固着する。これにより、おむつを腰周りで適度に締め付け、ずれ落ちないように固定することができる。上記固定部材としては、固着と剥離が繰り返し行える機械的な接合を可能とするファスニングテープが広く用いられている。
【０００３】
ファスニングテープは、一般的に、面状のメカニカルファスナーを有し、例えばこれが基材シートと共におむつのフラップ部に取り付けられた構造を有する。このメカニカルファスナーとしては、繊維等との係合を可能とする微小な鉤型のフック状突起部や、きのこ状のもの等を多数有する面状ファスナー（雄材）が挙げられる。他方、腹側前部で上記面状ファスナー（雄材）を受ける部分は通常の不織布でもよいが、上記フックの効果的な掛かりを実現するよう、例えばループ状ないし毛羽立った表面繊維構造を有するランディングテープ（雌材）等が用いられる。
【０００４】
このようなファスニングテープの取り付け構造を提案したものとして、例えば、面状のメカニカルファスナーの長手方向の一端と、基材シートとで、本体シートの端縁部の内面に固着したファスニングテープがある（特許文献１参照）。このメカニカルファスナーには多数のきのこ形状の微小フックが設けられており、全体として本体シートから延出方向に長尺矩形の面状ファスナーである。これによりファスニングテープの十分な取り付け強度が実現され、かつ製造原価の低減を可能とするとされる。また、同様のＹボンド方式のものとして、Ｔ字のフックを多数有する平板状ファスナーと、裏うち材とで、おむつ本体の側縁部を挟み込んだものが開示されている（特許文献２参照）。
【０００５】
ところで、ファスニングテープを取り付ける背側のおむつ本体の側縁部に伸縮性シートを採用し、そのおむつ本体との固定点の位置を着用者の身丈方向においてずらすようにして、装着した際の密着性を確保しようとしたものが開示されている（特許文献３）。これにより、伸縮性のサイドフラップの上下で伸縮する部分の長さが異なり、引張り力が調節されフィット性が良化するとされる。しかしこのおむつは、装着前における背側のおむつ本体の側縁部と前記サイドフラップとが接合されていない身丈方向の大きな隙間があり、おむつ本体の側縁部で表面シートおよび裏面シートに浮きやめくれが生じやすい。また、前記サイドフラップとおむつ本体との接合部が複雑な構造となる。このため生産性に劣り、さらには前記サイドフラップの伸長の調節域の設計自由度が制限され、その伸長程度を自由に設定するには難がある。
【０００６】
【特許文献１】特開２０００−２６９号公報
【特許文献２】特表平１０−５００３２６号公報
【特許文献３】特開２００４−１７４２１０号公報
【発明の開示】
【発明が解決しようとする課題】
【０００７】
以上の点に鑑み、本発明は、伸縮性の側縁部（サイドフラップ）を有するおむつや吸収パッドを覆うおむつ展開型おむつ又はおむつカバーにおいて、該側縁部に取り付けられたファスニングテープをまっすぐに引いて接合相手部分に止着するだけで脚まわりと胴まわりとにかかる締め付け力を適度に配分でき、装着者の体形に合わせた理想的なフィット性を実現することができる展開型おむつ、展開型おむつカバー、及びファスニングテープの提供を目的とする。
【課題を解決するための手段】
【０００８】
本発明は、腹側前部、背側後部、及び該両部の間に介在された股下中間部を有し、前記腹側前部から背側後部にまで長手方向に延びる吸収体を備えた展開型のおむつであって、該おむつの前記腹側前部及び背側後部には前記吸収体の幅方向両側外方に延在する側縁部があり、その腹側及び背側の少なくとも一方の側縁部には伸縮性が付与され、該一方の伸縮性側縁部の外方縁側にファスニングテープが該テープ内の所定の領域で固定され取り付けられており、前記所定固定領域の物品股下中間部側の内方固定部より物品腹側前方縁側もしくは背側後方縁側の外方固定部が前記吸収体側に寄せられた展開型おむつにより上記の目的を達成するものである。
また本発明は、腹側前部、背側後部、及び該両部の間に介在された股下中間部を有する、吸収パッドと組み合わせて装着したときに該吸収パッドの吸収体が前記カバーの腹側前部から背側後部にまで股下中間部を介して延びて配置される展開型のおむつカバーであって、該おむつカバーの前記腹側前部及び背側後部には前記吸収体の幅方向両側外方に延在する側縁部があり、その腹側及び背側の少なくとも一方の側縁部には伸縮性が付与され、該一方の伸縮性側縁部の外方縁側にファスニングテープが該テープ内の所定の領域で固定され取り付けられており、前記所定固定領域の物品股下中間部側の内方固定部より物品腹側前方縁側もしくは背側後方縁側の外方固定部が前記吸収体側に寄せられた展開型おむつカバーにより上記の目的を達成するものである。
さらにまた本発明は、腹側前部、背側前部、及び該両部の間に介在する股下中間部を有し、前記腹側前部から背側後部にまで長手方向に延びる吸収体を備えた展開型おむつ、又は、腹側前部、背側後部、及び該両部の間に介在された股下中間部を有する、吸収パッドと組み合わせて装着したときに該吸収パッドの吸収体が前記カバーの腹側前部から背側後部にまで股下中間部を介して延びて配置される展開型のおむつカバーにおいて、前記おむつ又はおむつカバーの腹側前部及び背側後部には前記吸収体の幅方向両側外方に延在する側縁部があり、その腹側及び背側の少なくとも一方の側縁部には伸縮性が付与され、該一方の伸縮性側縁部の外方縁側に所定の固定領域で取り付けられたファスニングテープであって、前記固定領域における物品腹側前方縁側もしくは背側後方縁側の外方固定部が物品股下中間部側の内方固定部より前記吸収体側に寄るように前記固定領域の前記吸収体側の固定基線に傾斜又は段差が付けられたファスニングテープにより上記の目的を達成するものである。
【発明の効果】
【０００９】
本発明の展開型おむつ及び展開型おむつカバーにおいては、ファスニングテープがその伸縮性の側縁部に取り付けられ、装着時に胴まわり方向にまっすぐ引いて接合相手部位に止着するだけで、脚まわりと胴まわりとの締め付け力を適度に配分でき、単なる円筒ではない大きく緩やかな起伏のある乳幼児等の体形に対して好適にフィットし理想的な装着状態を実現することができる。また、とくにはサイドフラップ下縁の足繰りへの引張り力を軽減して新生児などの腿の付け根のやわらかいところを締め付けすぎたりして跡つきを残したりするような心配がなく、他方でお腹まわり前側の張り出した肌面や背側のくびれにも締め付けすぎずにピッタリフィットして排泄物の漏れなどを起こさせないという優れた作用効果を奏する。
【発明を実施するための最良の形態】
【００１０】
以下、本発明の展開型おむつ及びそのファスニングテープについて、その好ましい実施形態としての乳幼児用の展開型使い捨ておむつに基づき、図面を参照しながら説明する。
図１は本発明の好ましい実施形態であるファスニングテープを備えた展開型使い捨ておむつ（実施形態１）を、概ね着用したときの形状で模式的に示す斜視図である。図２は図１に示した領域ＩＩを拡大して使い捨ておむつのファスニングテープのサイドフラップに対する取り付け状態を示した部分的な拡大正面図である。
【００１１】
本実施形態１のファスニングテープ１は左右２つが１対となり、おむつ１０の着用者の背側に配されるおむつ後部Ｒにおいて伸縮性シート２で構成された側縁部（サイドフラップ）Ｓｒにそれぞれに配設されている（図１、図２参照）。乳幼児等に着用させるときには、この後部Ｒを着用者の背側に配し、さらにおむつ股下中央部Ｃが股間に沿うようわたし、前部Ｆを着用者の下腹部にあてる。このとき、おむつ後部のサイドフラップＳｒを背中の方から腹側にわたし、この背側サイドフラップＳｒで腹側前部ＦのサイドフラップＳｆを覆うようにする。そして、ファスニングテープ１をランディングテープ（ファスナー受け部）６に圧し付けて、ファスニングテープ１に設けられた面状ファスナー１２によりランディングテープ６の表面と機械的に接合させて係着する。おむつの使用後には、逆にファスニングテープ１をランディングテープ６から引き剥がし、後部のサイドフラップＳｒからおむつを展開して乳幼児等から脱がせる。
【００１２】
図３は実施形態１に係る展開型使い捨ておむつの展開状態における平面図である。同図に示したように、本実施形態１に示した展開型使い捨ておむつ１０は、液透過性の表面シート４、液不透過性の裏面シート３及び両シート３，４間に介在された液保持性の吸収体５を具備する。ここで表面シート４側が着用者の肌に当る側であり、裏面シート３側が着用したときの外面側である。おむつ全体の展開形状としては、図３に示すような実質的に縦長の砂時計形状、すなわち、その長手方向の両端部（腹側前部Ｆ，背側後部Ｒ）が幅広にされ、中間部Ｃが括れる形状とされている。
【００１３】
本実施形態１においては、表面シート４及び裏面シート３、両シートに介在された吸収体５、さらに表面シート４の上側で肌当接面側の幅方向両側にサイドシート８が配設され、その他、弾性部材１５、１６等と合わせて組み立てたところに、前記伸縮性サイドフラップ２（Ｓｒ）が取り付けられ吸収性物品本体（おむつ本体）２１が構成されている。そして、このおむつ本体２１の一対の背側サイドフラップ２（Ｓｒ）にファスニングテープ１が取り付けられて乳幼児用おむつ１０が形成されている。
【００１４】
図３に示すように、使い捨ておむつ１０には、吸収体５における幅方向の両側部に沿って長手方向（Ｙ方向）に延びる、一対の起立性防漏カフをなす、糸状ないし細紐状の弾性部材１５を備えた不織布からなるサイドシート８が表面シート４の上面（肌面）に配設されている。各サイドシート８は、吸収体５の側縁近傍に対応する位置とレッグギャザー形成用の糸状ないし細紐状の弾性部材１６との間において、おむつ長手方向にわたって表面シート４上に固定されている。そして起立性の防漏カフをなす部分は表面シート４に固着されておらず、この防漏カフの自由端（内端）側は、おむつ展開状態において、おむつ長手方向と略平行に起立するようにされている。この立体ギャザーとなる防漏カフが起立して肌にしっかりと当接し、排泄物の外部への移行を遮断して横漏れを効果的に防止する。なお、図３のｋ２は防漏カフの自由端縁位置、ｋ１はその基端位置を表しており、この位置ｋ１の外側方で表面シート４に固着されている。
【００１５】
本実施形態１においては、上述のとおり、左右２つのファスニングテープ１が伸縮性シート２からなる背側側縁部（サイドフラップ）Ｓｒに配設されており、その断面形態としては基材シート１１と基材シート１１の内側面１１ｉの一部に積層して接合された面状のメカニカルファスナー（面状ファスナー）１２とから構成される（図４参照）。そして上記ファスニングテープ１は、背側サイドフラップＳｒの裏面（肌側と反対側）に基材シート１１が固着されることによって該サイドフラップＳｒの端部に取り付けられる。なお、この基材シート１１とサイドフラップＳｒとの固着形態については、さらに後述する。各部材の接着方法は特に限定されず、通常のこの種のシート材等に用いられる接着剤によって接着することができる。このように本実施形態１のファスニングテープ１は、シンプルな構造でありながら取り付け強度が高く、したがって製造工程が煩雑にならず、しかも余計な部材や特殊な材料によることなく、優れた取扱い性、高い取り付け強度を実現することができる。
【００１６】
面状ファスナー１２の内面１２ｉには、鉤状もしくはきのこ状のフックを形成する微小突起部（図示せず）が多数その全面にわたって設けられている。このフックを配したファスナー内面１２ｉがファスニングテープの接着可能面となり、非接着時に露出し得るようにされている。面状ファスナー１２は、この接着可能面をおむつ前部Ｆの裏面に配したランディングテープ６に当て、該テープ１２のループ状ないし捲縮して毛羽立ちのある不織布表面の繊維にしっかりと個々のフックが係合するようにして固着される。本実施形態１においては接着可能面がメカニカルファスナーのフックにより構成されているが、この他、粘着剤等によって形成された接着可能面であってもよい。このことは、後述する各実施形態についても同様である。
【００１７】
本実施形態１において、面状ファスナー１２は長方形でその長手方向（Ｘ方向）を、おむつの長手方向（Ｙ方向、図２）に向け、サイドフラップの側縁Ｓｅに沿うように基材シート１１のＹ方向巾のほぼ全巾にわたって広く配設されている（図２、３参照）。このようにすることで、ファスナー１２の広い面でランディングテープ６にしっかりと固着され、安定した装着状態が実現される。
【００１８】
本実施形態１においてファスニングテープ１の基材シート１１は、図２に示すように、伸縮性シート２からなる背側サイドフラップＳｒへの取付部においてファスニングテープの固定基線Ｔｌが逆さにしたＬ字状の段差形状になるようにされている。そして、股下中間部側の内方固定部Ｔｂが背側後方縁Ｅｒ側（別の実施形態として腹側前方にあるファスニングテープにおいては腹側前方縁Ｅｆ側となる。）のＹ方向接合幅ｕの範囲にある外方固定部Ｔａから接合延在長さｔ１だけ背側サイドフラップＳｒの外側に配されている（換言すると、外方固定部Ｔａが内方固定部Ｔｂより吸収体５ないし正中面切断Ｐｃ側に寄せられている。）。そして、この状態でファスニングテープの固定部Ｔａ、Ｔｂを含む取付部が背側サイドフラップＳｒに重ねられ、例えば、この重ね合せ面の全面を固定領域Ｈとし、あるいは別の実施形態で示すように重ね合せ面の複数の点エンボスを固定領域Ｈとして背側サイドフラップＳｒに固着される。このようにして、本実施形態１においては、伸縮性のシート２でできた背側サイドフラップＳｒと伸縮性のない表面シート４ないし裏面シート３との接合部位おける外縁線の位置、つまりサイドフラップの伸縮性の起点となる伸縮基線Ｑの位置と、基材シート１１の外方（上端側）の固定部Ｔａとの距離（有効伸縮長さ）ｔ２は、前記伸縮基線Ｑと、基材シート１１の内方（下端側）固定部Ｔｂとの距離（有効伸縮長さ）ｔ３よりも、前記接合延在長さｔ１の分だけ短くなっている。
【００１９】
本実施形態１においては、上記伸縮基線Ｑが、おむつの正中面切断線Ｐｃと展開状態において平行にされている（図３参照）。ここでおむつの正中面切断線とは、着用者の正中面、つまり着用者の中心身丈方向線Ｐａ（図１参照）と中心前後方向線Ｐｂとがなす面がおむつを切断する線である。なお、本発明においては、上記伸縮基線Ｑが正中面切断線Ｐｃと平行でなくてもよく、正中面切断線Ｐｃに対して傾斜していても、点在していて線状に定義づけられるものでなくてもよい。
【００２０】
本実施形態のおむつ１０においては上記構成としたことにより、装着時にファスニングテープ１をまっすぐ、着用者の脇腹からお臍の方に向けて胴まわり方向（図３示した展開状態のおむつにおいてはＸ方向）に引張って面状ファスナー１２をランディングテープ６に止着するだけで、背側サイドフラップＳｒにはその外方端側で強い引張り力ｆ１（図１参照）が適度に作用し、従来のものに対して着用者のレッグ側周囲よりもウェスト側周囲への締め付け力が増し、ウェスト部での隙間が開くことが抑制される。また、同時に背側サイドフラップＳｒの内方端側での引張り力ｆ２が適度に作用し、過度になりがちなレッグ部での締め付け力が減少することにより、おむつを外したときの跡つきなどが生じにくくなる。
【００２１】
従来の単なる矩形のファスニングテープ、つまり固定基線Ｔｌに段差や傾斜のないファスニングテープを取り付けたおむつでは、そのサイドフラップに折角伸縮性の材料を適用しても、ファスニングテープを引っ張ったときの張力バランスが良くなく巧く赤ちゃんの腰まわりにフィットさせることができないことがある。詳しくは、赤ちゃんのおなかのふくらんだ感じと、背中のくびれた感じのところにしっかりとフィットせず隙間ができてしまうことがある。そのため、寝かせているときにそこから尿や軟らかい便が漏れ出てしまうことさえある。これを改善しようとして母親が自分の判断でやや脚の方に下向きにファスニングテープを引いて止めようとすることがある。これが丁度良い角度と強さで引き込み止着されていればよいが、なかなか巧くいくものではない。例えば、かえって脚まわりを締めすぎて腿の付け根を鬱血させてしまったり、腹まわりを強く締めた分脚まわりが緩まり隙間ができ、結局股間から便や尿が漏れ出してしまったりする。
これに対し、本発明によれば、ファスニングテープ１を上述のように単純に直線的に引張ることで伸縮性のサイドフラップの伸び応力のバランスを取ることができ、ほぼ理想的な脚まわりの締め付け具合と腰まわりの締め付け具合とを両立して実現することができる。
【００２２】
図５（Ａ），（Ｂ）は実施形態１の変形例を示した、図２と同様の部分における拡大正面図である。図５（Ａ）の例では、基材シート１１のおむつ本体側の中央側端部（固定基線）Ｔｌは図２のような段差は形成されておらず、外側端部の角部１１ａから内方端部の角部１１ｂにかけて直線的に傾斜した固定基線Ｔｌとなっている。伸縮性シート２からなる背側サイドフラップＳｒと基材シート１１との重ね合せ面の全面、あるいは重ね合せ面の複数の点エンボスでサイドフラップＳｒに固着されることは図２の場合と同様である。そして、基材シート１１の外方固定部（Ｔａ）は内方固定部Ｔｂよりもおむつ吸収体５側へ寄っており、これによって外方固定部Ｔａの固着位置とサイドフラップＳｒの接合位置（固定基線Ｑ）との距離（有効伸縮長さ）ｔ２が内方固定部Ｔｂとの距離（有効伸縮長さ）ｔ３より短くなり、図２の場合と同様のサイドフラップの張力の均衡効果がもたらされる。
【００２３】
図５（Ｂ）の例では、基材シート１１のおむつ本体側の端部分の外形自体は矩形状に形成されているが、その内方端の角部１１ｂの付近は伸縮性シート２からなる背側サイドフラップＳｒに固着されていない。具体的には、基材シート１１は複数の点エンボス２２（Ｈ）でサイドフラップＳｒに接合されるが、内方端部の角部１１ｂ付近はサイドフラップＳｒの面に対して点エンボスを付さずに非接合の状態になっている。したがって、伸縮性のサイドフラップの伸縮基線Ｑから基材シート１１の外方固定部Ｔａの固着位置までの距離ｔ２は内方固定部Ｔｂの固着位置までの距離ｔ３より短くなっている。したがって図３（Ｂ）の場合も、装着時にファスニングテープ１をまっすぐ横方向に引張って面状ファスナー１２をランディングテープ６に止着するだけ理想的な締め付けバランスを実現することができる。
【００２４】
次にファスニングテープの組み立て形態ないし部材数を変えた本発明における別の実施形態について説明する。
図６は本発明の別の好ましい実施形形態（実施形態２）の展開型おむつにおけるファスニングテープ１と伸縮性シート２からなる背側サイドフラップＳｒとの組み立て形態を示した図４と同様の断面図である。実施形態２ではファスニングテープ１の基材シート１１上の面状ファスナー１２が部分的にサイドフラップＳｒに重ねられており、サイドフラップＳｒは基材シート１１と面状ファスナー１２で挟まれるようにしてファスニングテープ１がサイドフラップＳｒに取り付けられている。このようにすることにより、使用部材が最小限ですみ低コスト化が実現されるとともに、製造過程が簡略化できる。
【００２５】
図７は本発明のまた別の好ましい実施形態（実施形態３）の展開型おむつにおけるファスニングテープの断面図である。ファスニングテープ１の基材シート１１には取付け用補強部材１３が固着され、かつこの補強部材１３と基材シート１１とで伸縮性シート２からなる背側サイドフラップＳｒを挟さみ込むようにしてファスニングテープ１がサイドフラップＳｒに固着されている。このようにすることにより、伸縮性のサイドフラップを引っぱり固定する時の張力に耐えうる強度を持ちながら、面状ファスナーの取り付け位置や大きさ、形などの自由度が広がる。
【００２６】
図８は本発明のさらにまた別の実施形態（実施形態４）における乳幼児用の展開型使い捨ておむつ２０の展開状態の平面図であり、図９はそのＩＸ−ＩＸ線断面の拡大断面図である（ただし、図９においては、図８で切欠された部材があるものとして示している。）。本実施形態４のおむつ２０においては、おむつ本体２１全体が砂時計形状に、とくに中間部Ｃにおいて緩やかにくびれのある全体においてＹ方向（長手方向）に長尺矩形基調の外形形状とされている。
【００２７】
本実施形態４においては、腹側前部Ｆ及び背側後部Ｒにおいて、表面シート４上、裏面シート３、及びサイドシート８が吸収体５の幅方向（Ｘ方向）外側方に大きく延在して、これらの部材においては非伸縮性のサイドフラップＳｒ，Ｓｆが所定の範囲に形成されている。そして、背側サイドフラップＳｒにおいて弾性帯７がファスニングテープ１の基材シート１１と部分的に重なる形態で裏面シート３と表面シート４の間に挟み込まれ取り付けられている。すなわち、この実施形態４においては、背側サイドフラップＳｒの部分に、ファスニングテープ１にさしかかるように伸張状態で表面シート４と裏面シート３とで狭持して全面で固着された弾性帯７（紐状弾性部材７ａ及び台紙となる繊維シート７ｂとで構成された複合弾性部材）がある。したがって、それにより着用者への装着前の状態では、背側サイドフラップＳｒは自然形状でやや縮んだ状態となっており適度なギャザーが生じている。
【００２８】
そして、本実施形態４においても、ファスニングテープ１の基材シート１１は上端側がおむつ本体中央側へ向って長く延在しており、その外方固定部Ｔａが内方固定部Ｔｂより吸収体５側、すなわち正中線切断線Ｐｃ方向にある。そして、ファスニングテープの固定基線Ｔｌが上側から下側にかけて段差のある逆Ｌ字状にされ、フラップにおける上側の有効伸縮長さｔ２と下側の有効伸縮長さｔ３とに好適な差が付けられている。ただし、本実施形態４において、背側サイドフラップＳｒの伸縮性を示す伸縮起点はとくに機能的に定められればよく、吸収体５の存在により伸縮性が制限されることも考慮され、図示したもののように前記正中面切断線Ｐｃに平行な線状の伸縮基線Ｑであっても、それと異なるものであってもよい。
【００２９】
本実施形態４においては、上記の構成としたため装着時にファスニングテープ１をまっすぐに引いたときに背側後縁側（上端側）での引張り力が強く働き、本実施形態１で説明した場合と同様の胴まわりと脚まわりとの理想的な締め付け具合が実現される。
【００３０】
表面シート３、裏面シート５、及び吸収体４としては、通常の吸収性物品等において用いられている各種材料を用いることができる。ファスニングテープ１の基材シート１１の形成材料としては、通常の使い捨ておむつ等において用いられている不織布又は合成樹脂製フィルム等の各種のテープ材料を用いることができ、特に、風合いや摘み易さの観点から、不織布を用いることが好ましい。ランディングテープ６の形成材料としては、使い捨ておむつ等において用いられているメカニカルファスナーのメス材となる不織布や、不織布又は編布を接合した合成樹脂製フィルム等が好ましく、特に、それ自身でメカニカルファスナーのメス材となる不織布が好ましい。面状のメカニカルファスナー（面状ファスナー）を形成する材料としては、例えば、通常この種の物品に用いるものを好適に使用することができる。
【００３１】
上記各実施形態においてはサイドフラップＳｒに伸縮性シート２又は伸縮性の弾性帯７が用いられているが、この伸縮性シートないし弾性帯は、シートの最大伸度が５０％以上であり、シートないし帯を所定の方向に伸度５０％まで伸長させた後に収縮させたときの伸長回復率、すなわち５０％伸長時の伸長回復率が、６０％以上であるものが好ましい。このような伸長性を面内方向の少なくとも一方向に有すればよい。ここで伸長回復率は、以下の方法によって測定される。
［伸長回復率の測定方法］
長さ５０ｍｍ、幅２５ｍｍのシートのサンプル片を用意し、引っ張り試験機（（株）オリエンテック社製「テンシロン」ＲＴＣ−１１５０Ａ〔商品名〕）を用いて、チャック間隔Ｋ０にサンプル片を固定し、３００ｍｍ／分の速度で５０％伸長時の長さＫ２（Ｋ２＝Ｋ０×２）まで伸長させた後、引っ張り速度と同様の速度で引っ張り力を開放して、応力が０になったときのサンプル片の長さを伸長回復後の長さＫ１とする。この測定結果から次式により、５０％伸長時の伸長回復率を算出する。
５０％伸長時の伸長回復率（％）＝〔（Ｋ２−Ｋ１）／（Ｋ２−Ｋ０）〕×１００  最大伸度が５０％以上である方向を複数有する場合は、そのうちのいずれか１方向のみにおいて上記最大伸度及び伸長回復率を示すものも伸縮性シートに含まれる。
【００３２】
本実施形態１に用いられるサイドフラップとなる伸縮性シート２としては伸縮性不織布が挙げられ、例えば、弾性繊維層の両面に、同一の又は異なる、実質的に非弾性の非弾性繊維層が積層されているものがある。このとき弾性繊維層と、非弾性繊維層とは、弾性繊維層の構成繊維が繊維形態を保った状態で、繊維交点の熱融着によって全面で接合されていることが好ましい。この実施態様においては、弾性繊維層と、非弾性繊維層との界面及びその近傍において、弾性繊維層の構成繊維と、非弾性繊維層の構成繊維との交点が熱融着しており、実質的に全面で均一に接合されていることが好ましい。また、２つの非弾性繊維層のうちの少なくとも一方においては、その構成繊維の一部が弾性繊維層に入り込んだ状態、及び／又は、弾性繊維層の構成繊維の一部が少なくとも一方の非弾性繊維層に入り込んだ状態になっていることが好ましい。
【００３３】
弾性繊維層の構成繊維としては、例えば熱可塑性エラストマーやゴムなどを原料とする繊維を用いることができる。弾性繊維層は弾性を有する繊維の集合体であるが、伸縮弾性を損なわない限りにおいて非弾性繊維が含まれていてもよい。非弾性繊維層は、伸長性を有するが、実質的に非弾性のものである。ここでいう、伸長性は、構成繊維自体が伸長する場合と、構成繊維自体は伸長しなくても、繊維どうしの交点において熱融着していた両繊維どうしが離れたり、繊維どうしの熱融着等により複数本の繊維で形成された立体構造が構造的に変化したり、構成繊維がちぎれたりして、繊維層全体として伸長する場合のいずれであってもよい。非弾性繊維層を構成する繊維としては、ポリエチレン（ＰＥ）、ポリプロピレン（ＰＰ）、ポリエステル（ＰＥＴやＰＢＴ）、ポリアミド等からなる繊維等が挙げられる。また、芯鞘型又はサイド・バイ・サイドの複合繊維、分割繊維、異形断面繊維、捲縮繊維、熱収縮繊維等を用いることもできる。
【００３４】
上記実施態様の伸縮性不織布は、その面内方向の少なくとも一方向に伸縮性を有するが、面内のすべての方向に伸縮性を有していてもよい。その場合には、方向によって伸縮性の程度が異なることは妨げられない。伸縮する方向に関し伸縮性の程度は５０％伸長時の荷重が１０〜５００ｃＮ／２５ｍｍであることが好ましく、特に２０〜１００ｃＮ／２５ｍｍであることがより好ましい。また５０％伸長状態から収縮させたときの残留歪みが１５％以下であることが好ましく、１０％以下であることがより好ましい。
また、伸縮シートとして特開２００７−１３８３７４号公報に記載の内容を参照することができ、その製造方法については特開２００７−８４９６６号公報、特開２００７−２２０６６号公報などを参考にしてもよい。
【００３５】
本実施形態４に用いられるサイドフラップとなる伸縮性の弾性帯７としては、基材シート上に糸状又は帯状の弾性体が伸張状態で貼着されてなる伸縮性部材であって、該基材シート上に該弾性体を接着部及び非接着部を有するように貼着してある。弾性体としては、各種エラストマー樹脂が用いられる。また、弾性帯の製造方法については特開２０００−２６０１５号公報などを参考にしてもよい。
【００３６】
本発明のファスニングテープは、前述した実施形態に限定されることなく、適宜変更が可能である。例えば、メカニカルファスナー（面状ファスナー）はメス材でもよい。その場合には、例えば、使い捨ておむつの腹側部の非肌当接面側に、対となるメカニカルファスナーのオス材をランディングテープとして設ければよい。またファスニングテープは、使い捨ておむつの腹側部の両側縁部に配されていてもよい。例えば本実施形態１においてランディングテープ６は、腹側前部Ｆのおむつ外側表面、つまり非肌当接面側の面に貼り付けられており、横長矩形で、その長手方向がおむつ幅方向とほぼ一致している（図１、図３参照）。ランディングテープ６はファスニングテープ１が止着されることで、使い捨ておむつの装着形態を形成できるようになっているが、使い捨ておむつの非肌当接面側の面が、オス材のメカニカルファスナー１２に止着可能なシートから形成されている場合には、ランディングテープ６は必ずしも必要ない。また、本発明のファスニングテープは上記実施形態に限定されるものではなく、要求される性能や形態に応じて、各実施形態の利点を活かして適宜選択することができる。
【００３７】
本発明の展開型おむつは上記実施形態のような乳幼児用使い捨ておむつに限らず、大人用のおむつであってもよい。また本発明は、尿とりパッド等の吸収パッドと組み合わせて用いる展開型おむつカバーであってもよく、この場合、吸収パッドに配設された吸収体を、上記展開型おむつに係る各実施形態の吸収体５としてみることができる。具体的には、吸収パッドの吸収体がおむつカバーの腹側前部Ｆから背側後部Ｒに股下中間部Ｃを介して配置されるよう吸収パッドとおむつカバーを組み合わせて装着する。このとき、おむつカバーの伸縮性側縁部に取り付けられたファスニングテープが上記各実施形態において示したのと同様の機能を果たし、装着者の体形に合わせた理想的なフィット性を実現することができる。
【図面の簡単な説明】
【００３８】
【図１】本発明の好ましい実施形態であるファスニングテープ（実施形態１）を備えた使い捨ておむつを模式的に示す斜視図である。
【図２】図１のＩＩの部分の拡大正面図である。
【図３】実施形態１に係る使い捨ておむつの展開状態における一部切欠平面図である。
【図４】図２のＩＶ−ＩＶ線に沿った拡大断面図であって、本発明の実施形態１に係るファスニングテープと伸縮性シートとの組み立て形態を示した断面図である。
【図５】本実施形態１のファスニングテープの固定部における各種変形例を模式的に示す拡大正面図である。
【図６】本発明のファスニングテープにおける別の好ましい実施形態（実施形態２）を模式的に示す拡大断面図である。
【図７】本発明のファスニングテープにおける別の好ましい実施形態（実施形態３）を模式的に示す拡大断面図である。
【図８】本発明の別の好ましい実施形態（実施形態４）に係るファスニングテープを備えた使い捨ておむつを一部切欠して模式的に示す展開平面図である。
【図９】図８のＩＸ−ＩＸ線断面の拡大断面図である。
【符号の説明】
【００３９】
１  ファスニングテープ
２  伸縮性シート
３  裏面シート
４  表面シート
５  吸収体
６  ランディングテープ
７  弾性帯
８  サイドシート
１０、２０  展開型の使い捨ておむつ
１１  基材シート
１２  面状のメカニカルファスナー（面状ファスナー）
１５  立体ギャザー形成用の弾性部材
１６  レッグギャザー形成用の弾性部材
２１  おむつ本体
【図１】
2010136788.tif 000003
【図２】
2010136788.tif 000004
【図３】
2010136788.tif 000005
【図４】
2010136788.tif 000006
【図５】
2010136788.tif 000007
【図６】
2010136788.tif 000008
【図７】
2010136788.tif 000009
【図８】
2010136788.tif 000010
【図９】
2010136788.tif 000011